(57)【要約】  データレートの高い圧縮デジタルオーディオ信号の伝送を良好に行い得るようにする。  所定チャネル数の圧縮デジタルオーディオ信号に、第１、第２、第３のメタデータを付加する。第１のメタデータは、圧縮デジタルオーディオ信号の伝送周波数を示すメタデータである。第２のメタデータは、各チャネルの非圧縮デジタルオーディオ信号をアナログ信号に変換する際に使用されるサンプリング周波数を示すメタデータである。第３のメタデータは、伝送周波数のサンプリング周波数に対する比率を示すメタデータである。各メタデータが付加された圧縮デジタルオーディオ信号を所定の伝送路を介して外部機器に送信する。
2017010358.tif 000002
【特許請求の範囲】
【請求項１】
所定チャネル数の圧縮デジタルオーディオ信号に、該圧縮デジタルオーディオ信号の伝送周波数を示す第１のメタデータ、各チャネルの非圧縮デジタルオーディオ信号をアナログ信号に変換する際に使用されるサンプリング周波数を示す第２のメタデータおよび上記伝送周波数の上記サンプリング周波数に対する比率を示す第３のメタデータを付加するメタデータ付加部と、
上記各メタデータが付加された圧縮デジタルオーディオ信号を所定の伝送路を介して外部機器に送信する送信部を備える
送信装置。
【請求項２】
上記送信部は、上記圧縮デジタルオーディオ信号を単位データ毎に順次送信し、
上記メタデータ付加部は、
連続する所定数の上記単位データで構成される各ブロックのチャネルステータスの所定ビット領域を用いて上記各メタデータを付加する
請求項１に記載の送信装置。
【請求項３】
上記圧縮デジタルオーディオ信号の符号化方式はＭＰＥＧ−４  ＡＡＣである
請求項１に記載の送信装置。
【請求項４】
上記所定チャネル数は２２．２チャネルである
請求項３に記載の送信装置。
【請求項５】
上記所定伝送路は、同軸ケーブル、光ケーブル、イーサネット（ＩＥＣ ６１８８３−６）ケーブル、ＨＤＭＩケーブル、ＭＨＬケーブルまたはディスプレイポートケーブルである
請求項１に記載の送信装置。
【請求項６】
上記圧縮デジタルオーディオ信号を放送信号から取得するか、あるいは上記圧縮デジタルオーディオ信号を記録メディアから再生して取得する取得部をさらに備える
請求項１に記載の送信装置。
【請求項７】
所定チャネル数の圧縮デジタルオーディオ信号に、該圧縮デジタルオーディオ信号の伝送周波数を示す第１のメタデータ、各チャネルの非圧縮デジタルオーディオ信号をアナログ信号に変換する際に使用されるサンプリング周波数を示す第２のメタデータおよび上記伝送周波数の上記サンプリング周波数に対する比率を示す第３のメタデータを付加するメタデータ付加ステップと、
送信部により、上記各メタデータが付加された圧縮デジタルオーディオ信号を所定の伝送路を介して外部機器に送信する送信ステップを有する
送信方法。
【請求項８】
所定チャネル数の圧縮デジタルオーディオ信号を外部機器から所定伝送路を介して受信する受信部を備え、
上記圧縮デジタルオーディオ信号には、該圧縮デジタルオーディオ信号の伝送周波数を示す第１のメタデータ、各チャネルの非圧縮デジタルオーディオ信号をアナログ信号に変換する際に使用されるサンプリング周波数を示す第２のメタデータおよび上記伝送周波数の上記サンプリング周波数に対する比率を示す第３のメタデータが付加されており、
上記各メタ―データのうち少なくとも１つに基づいて上記圧縮デジタルオーディオ信号に関係する処理を行う処理部を備える
受信装置。
【請求項９】
上記処理部は、
上記第１のメタデータで示される伝送周波数に応じた周波数にＰＬＬをロックし、該ＰＬＬでロックされた周波数のクロック信号を用いて上記圧縮デジタルオーディオ信号に復号化処理を施し、上記所定チャネル数の各チャネルの非圧縮デジタルオーディオ信号を得る
請求項８に記載の受信装置。
【請求項１０】
上記処理部は、
上記圧縮デジタルオーディオ信号に復号化処理を施して得られた各チャネルの非圧縮デジタルオーディオ信号を、上記第２のメタデータで示されるサンプリング周波数でアナログ信号に変換して出力する
請求項８に記載の受信装置。
【請求項１１】
上記処理部は、
上記第２のメタデータで示されるサンプリング周波数を、表示部に、各チャネルの出力アナログオーディオ信号のサンプリング周波数として表示する
請求項８に記載の受信装置。
【請求項１２】
上記処理部は、
上記第１のメタデータで示される伝送周波数または上記第３のメタデータで示される比率を用いて、表示部に、上記圧縮デジタルオーディオ信号の伝送周波数を示す表示をする
請求項８に記載の受信装置。
【請求項１３】
上記処理部は、
上記第１のメタデータで示される伝送周波数の上記第２のメタデータで示されるサンプリング周波数に対する比率を上記第３のメタデータで示される比率と比較して、上記第１のメタデータあるいは上記第２のメタデータの誤りを検出する
請求項８に記載の受信装置。
【請求項１４】
上記受信部は、上記圧縮デジタルオーディオ信号を単位データ毎に順次受信し、
上記圧縮デジタルオーディオ信号には、連続する所定数の上記単位データで構成される各ブロックのチャネルステータスの所定ビット領域を用いて上記各メタデータが付加されている
請求項８に記載の受信装置。
【請求項１５】
上記所定伝送路は、同軸ケーブル、光ケーブル、イーサネット（ＩＥＣ ６１８８３−６）ケーブル、ＨＤＭＩケーブル、ＭＨＬケーブルまたはディスプレイポートケーブルである
請求項８に記載の受信装置。
【請求項１６】
受信部により、所定チャネル数の圧縮デジタルオーディオ信号を外部機器から所定伝送路を介して受信する受信ステップを有し、
上記圧縮デジタルオーディオ信号には、該圧縮デジタルオーディオ信号の伝送周波数を示す第１のメタデータ、各チャネルの非圧縮デジタルオーディオ信号をアナログ信号に変換する際に使用されるサンプリング周波数を示す第２のメタデータおよび上記伝送周波数の上記サンプリング周波数に対する比率を示す第３のメタデータが付加されており、
上記各メタ―データのうち少なくとも１つに基づいて上記圧縮デジタルオーディオ信号に関係する処理を行う処理ステップを備える
受信方法。
【発明の詳細な説明】
【技術分野】
【０００１】
この発明は、送信装置、送信方法、受信装置および受信方法に関し、詳しくは、圧縮デジタルオーディオ信号を送信、受信する送信装置および受信装置等に関する。
【背景技術】
【０００２】
例えば、特許文献１には、ＩＥＣ ６０９５８規格についての記載がある。ＩＥＣ ６１９３７はＩＥＣ ６０９５８−３上でパケット化した圧縮デジタルオーディオ信号を伝送する規格であり、ＩＥＣ ６１９３７−６はＭＰＥＧ−２ ＡＡＣの伝送方法を規定している。テレビ放送において使用されるＭＰＥＧ−２ ＡＡＣの伝送においては、２チャネルも５．１チャネルも圧縮されているためＩＥＣ ６０９５８−３で規定されているＬＰＣＭ ４８ｋＨｚ ２チャネルと同じ伝送レートで出力される。
【先行技術文献】
【特許文献】
【０００３】
【特許文献１】特開２００９−１３０６０６号公報
【発明の概要】
【発明が解決しようとする課題】
【０００４】
次世代のテレビ放送においてはＭＰＥＧ−４ ＡＡＣが使用され、さらにオーディオのチャネル数は最大２２．２チャネルとなり、そのデータレートは増大している。この信号を外部出力する際には、ＩＥＣ ６１９３７−１１規格が適用される。この規格は、ＭＰＥＧ−４ ＡＡＣの圧縮デジタルオーディオ信号を、ＬＡＴＭ/ＬＯＡＳ形式で伝送する規格である。【０００５】
しかし、この規格では伝送周波数はサンプリング周波数と同一であり、サンプリング周波数が４８ｋＨｚであれば伝送も４８ｋＨｚで行う必要があった。マルチチャネルデジタルオーディオ信号を圧縮して伝送する場合、例えば、２２．２チャネルの場合、４８ｋＨｚで伝送できるデータレートを越える。【０００６】
この場合、例えば９６ｋＨｚで伝送を行うことが考えられる。しかし、この場合、９６ｋＨｚで伝送された信号を受信した機器は、本来は４８ｋＨｚでアナログ変換すべき信号でも９６ｋＨｚでアナログ信号に変換する間違った処理をする。また、ユーザに対しても９６ｋＨｚ再生の表示がなされ、２４ｋＨｚ以上のオーディオ信号が再生されるような誤解を与える。【０００７】
本技術の目的は、データレートの高い圧縮デジタルオーディオ信号の伝送を良好に行い得るようにすることにある。
【課題を解決するための手段】
【０００８】
本技術の概念は、
所定チャネル数の圧縮デジタルオーディオ信号に、該圧縮デジタルオーディオ信号の伝送周波数を示す第１のメタデータ、各チャネルの非圧縮デジタルオーディオ信号をアナログ信号に変換する際に使用されるサンプリング周波数を示す第２のメタデータおよび上記伝送周波数の上記サンプリング周波数に対する比率を示す第３のメタデータを付加するメタデータ付加部と、
上記各メタデータが付加された圧縮デジタルオーディオ信号を所定の伝送路を介して外部機器に送信する送信部を備える
送信装置にある。【０００９】
本技術において、メタデータ付加部により、所定チャネル数の圧縮デジタルオーディオ信号に、第１、第２、第３のメタデータが付加される。例えば、圧縮デジタルオーディオ信号の符号化方式はＭＰＥＧ−４ ＡＡＣであってもよい。そして、この場合、所定チャネル数は２２．２チャネルであってもよい。また、例えば、圧縮デジタルオーディオ信号を放送信号から取得するか、あるいは圧縮デジタルオーディオ信号を記録メディアから再生して取得する取得部をさらに備える、ようにされてもよい。【００１０】
ここで、第１のメタデータは、圧縮デジタルオーディオ信号の伝送周波数を示すメタデータである。第２のメタデータは、各チャネルの非圧縮デジタルオーディオ信号をアナログ信号に変換する際に使用されるサンプリング周波数を示すメタデータである。第３のメタデータは、伝送周波数のサンプリング周波数に対する比率を示すメタデータである。【００１１】
送信部により、各メタデータが付加された圧縮デジタルオーディオ信号が所定の伝送路を介して外部機器に送信される。例えば、所定の伝送路は、同軸ケーブル、光ケーブル、イーサネット（ＩＥＣ ６１８８３−６）ケーブル、ＨＤＭＩケーブル、ＭＨＬケーブルまたはディスプレイポートケーブルである、ようにされてもよい。【００１２】
例えば、送信部は、圧縮デジタルオーディオ信号を単位データ毎に順次送信し、メタデータ付加部は、連続する所定数の単位データで構成される各ブロックのチャネルステータスの所定ビット領域を用いて各メタデータを付加する、ようにされてもよい。【００１３】
このように本技術においては、送信される圧縮デジタルオーディオ信号に３つのメタデータが付加される。そのため、データレートの高い圧縮デジタルオーディオ信号の伝送を良好に行い得る。すなわち、サンプリング周波数とは異なる伝送レートでの伝送が可能となり、伝送レートとは異なるオリジナルのサンプリング周波数で正しいオーディオ再生が可能となり、さらにユーザに対して実際に再生されるオーディオ周波数帯域を明示することが可能となる。【００１４】
本技術の他の概念は、
所定チャネル数の圧縮デジタルオーディオ信号を外部機器から所定伝送路を介して受信する受信部を備え、
上記圧縮デジタルオーディオ信号には、該圧縮デジタルオーディオ信号の伝送周波数を示す第１のメタデータ、各チャネルの非圧縮デジタルオーディオ信号をアナログ信号に変換する際に使用されるサンプリング周波数を示す第２のメタデータおよび上記伝送周波数の上記サンプリング周波数に対する比率を示す第３のメタデータが付加されており、
上記各メタ―データのうち少なくとも１つに基づいて上記圧縮デジタルオーディオ信号に関係する処理を行う処理部を備える
受信装置にある。【００１５】
本技術において、受信部により、所定チャネル数の圧縮デジタルオーディオ信号が外部機器から所定伝送路を介して受信すされる。例えば、所定伝送路は、同軸ケーブル、光ケーブル、イーサネット（ＩＥＣ ６１８８３−６）ケーブル、ＨＤＭＩケーブル、ＭＨＬケーブルまたはディスプレイポートケーブルである、ようにされてもよい。【００１６】
圧縮デジタルオーディオ信号には、第１、第２、第３のメタデータが付加されている。例えば、受信部は、圧縮デジタルオーディオ信号を単位データ毎に順次受信し、圧縮デジタルオーディオ信号には、連続する所定数の単位データで構成される各ブロックのチャネルステータスの所定ビット領域を用いて各メタデータが付加されている、ようにされてもよい。【００１７】
ここで、第１のメタデータは、圧縮デジタルオーディオ信号の伝送周波数を示すメタデータである。第２のメタデータは、各チャネルの非圧縮デジタルオーディオ信号をアナログ信号に変換する際に使用されるサンプリング周波数を示すメタデータである。第３のメタデータは、伝送周波数のサンプリング周波数に対する比率を示すメタデータである。【００１８】
処理部により、各メタ―データのうち少なくとも１つに基づいて圧縮デジタルオーディオ信号に関係する処理が行われる。例えば、処理部は、第１のメタデータで示される伝送周波数に応じた周波数にＰＬＬをロックし、このＰＬＬでロックされた周波数のクロック信号を用いて圧縮デジタルオーディオ信号に復号化処理を施し、所定チャネル数の各チャネルの非圧縮デジタルオーディオ信号を得る、ようにされてもよい。【００１９】
また、例えば、処理部は、圧縮デジタルオーディオ信号に復号化処理を施して得られた各チャネルの非圧縮デジタルオーディオ信号を、第２のメタデータで示されるサンプリング周波数でアナログ信号に変換して出力する、ようにされてもよい。【００２０】
また、例えば、処理部は、第２のメタデータで示されるサンプリング周波数を、表示部に、各チャネルの出力アナログオーディオ信号のサンプリング周波数として表示する、ようにされてもよい。【００２１】
また、例えば、処理部は、第１のメタデータで示される伝送周波数または第３のメタデータで示される比率を用いて、表示部に、圧縮デジタルオーディオ信号の伝送周波数を示す表示をする、ようにされてもよい。【００２２】
また、例えば、処理部は、第１のメタデータで示される伝送周波数の第２のメタデータで示されるサンプリング周波数に対する比率を第３のメタデータで示される比率と比較して、第１のメタデータあるいは第２のメタデータの誤りを検出する、ようにされてもよい。【００２３】
このように本技術においては、圧縮デジタルオーディオ信号に付加されているメタデータに基づいて圧縮デジタルオーディオ信号に関係する処理が行われる。そのため、圧縮デジタルオーディオ信号に関係する処理、例えば、復号化処理、アナログ信号に変換する処理、ユーザに再生オーディオ周波数帯域を明示する処理などが適切に行われる。
【発明の効果】
【００２４】
本技術によれば、データレートの高い圧縮デジタルオーディオ信号の伝送を良好に行い得る。なお、本明細書に記載された効果はあくまで例示であって限定されるものではなく、また付加的な効果があってもよい。
【図面の簡単な説明】
【００２５】
【図１】実施の形態としてのＡＶシステムの構成例を示すブロック図である。
【図２】ＡＶシステムを構成するテレビ受信機の構成例を示すブロック図である。
【図３】ＡＶシステムを構成するオーディオアンプの構成例を示すブロック図である。
【図４】伝送周波数、サンプリング周波数などの表示例を示す図である。
【図５】ＡＶシステムを構成するＢＤプレーヤの構成例を示すブロック図である。
【図６】テレビ受信機のＨＤＭＩ受信部とオーディオアンプのＨＤＭＩ送信部の構成例を示すブロック図である。
【図７】ＴＭＤＳチャネルにおいて横×縦が１９２０ピクセル×１０８０ラインの画像データが伝送される場合の各種の伝送データの区間を示す図である。
【図８】ＨＤＭＩコネクタのピン配列を示す図である。
【図９】テレビ受信機の高速バスインタフェースの構成例を示す図である。
【図１０】オーディオアンプの高速バスインタフェースの構成例を示す図である。
【図１１】ＩＥＣ ６０９５８規格におけるフレーム構成を示す図である。
【図１２】ＩＥＣ ６０９５８規格におけるサブフレーム構成を示す図である。
【図１３】ＩＥＣ ６０９５８規格における信号変調方式を示す図である。
【図１４】ＩＥＣ ６０９５８規格におけるプリアンブルのチャネルコーディングを示す図である。
【図１５】ＩＥＣ ６０９５８・インタフェース・フォーマットを示す図である。
【図１６】圧縮デジタルオーディオ信号を含むＳＰＤＩＦ信号の場合におけるチャネルステータスのフォーマットを概略的に示す図である。
【図１７】チャネルステータスの第０ビット、第１ビットに使用に関するＩＥＣ６０９５８−１の規定を示す図である。
【図１８】チャネルステータスの第２４乃至第２７ビットのビット値および第３０乃至第３１ビットのビット値と、それで示される伝送周波数との対応関係を示す図である。
【図１９】チャネルステータスの第３６乃至第３９ビットのビット値と、それで示されるサンプリング周波数との対応関係を示す図である。
【図２０】チャネルステータスの第４４乃至第４７ビットのビット値と、それで示される比率との対応関係を示す図である。
【図２１】ＩＥＣ ６０９５８伝送路として光ケーブルを利用した場合におけるＡＶシステムの構成例を示すブロック図である。
【発明を実施するための形態】
【００２６】
以下、発明を実施するための形態（以下、「実施の形態」とする）について説明する。なお、説明を以下の順序で行う。
１．実施の形態
２．変形例
【００２７】
＜１．実施の形態＞
［ＡＶシステムの構成例］
【００２８】
図１は、実施の形態としてのＡＶシステム１０の構成例を示している。このＡＶシステム１０は、シンク機器としてのテレビ受信機１００と、リピータ機器としてのオーディオアンプ２００と、ソース機器としてのＢＤ(Blu-Ray Disc)プレーヤ３００とを有している。テレビ受信機１００およびＢＤプレーヤ３００には、テレビ放送の受信アンテナ４００が接続されている。また、オーディオアンプ２００には、２チャネル用あるいはマルチチャネル用のスピーカシステム５００が接続されている。
【００２９】
テレビ受信機１００およびオーディオアンプ２００はＨＤＭＩケーブル６１０を介して接続されている。テレビ受信機１００には、ＨＤＭＩ受信部（HDMI RX）１０２と、通信部を構成する高速バスインタフェース１０３とが接続されたＨＤＭＩ端子１０１が設けられている。なお、「ＨＤＭＩ」は登録商標である。
【００３０】
また、オーディオアンプ２００には、ＨＤＭＩ送信部（HDMI TX）２０２ａと、通信部を構成する高速バスインタフェース２０３ａとが接続されたＨＤＭＩ端子２０１ａが設けられている。上述したＨＤＭＩケーブル６１０の一端はテレビ受信機１００のＨＤＭＩ端子１０１に接続され、このＨＤＭＩケーブル６１０の他端はオーディオアンプ２００のＨＤＭＩ端子２０１ａに接続されている。
【００３１】
また、オーディオアンプ２００およびＢＤプレーヤ３００はＨＤＭＩケーブル６２０を介して接続されている。オーディオアンプ２００には、ＨＤＭＩ受信部（HDMI RX）２０２ｂと、通信部を構成する高速バスインタフェース２０３ｂとが接続されたＨＤＭＩ端子２０１ｂが設けられている。
【００３２】
また、ＢＤプレーヤ３００には、ＨＤＭＩ送信部（HDNI TX）３０２と、通信部を構成する高速バスインタフェース３０３とが接続されたＨＤＭＩ端子３０１が設けられている。上述したＨＤＭＩケーブル６２０の一端はオーディオアンプ２００のＨＤＭＩ端子２０１ｂに接続され、このＨＤＭＩケーブル６２０の他端はＢＤプレーヤ３００のＨＤＭＩ端子３０１に接続されている。
【００３３】
［テレビ受信機の構成例］
図２は、テレビ受信機１００の構成例を示している。このテレビ受信機１００は、ＨＤＭＩ端子１０１と、ＨＤＭＩ受信部１０２と、高速バスインタフェース１０３と、ＳＰＤＩＦ（Sony Philips Digital Interface）送信回路１０４を有している。また、テレビ受信機１００は、アンテナ端子１０５と、デジタル放送チューナ１０６と、ＭＰＥＧデコーダ１０７と、映像信号処理回路１０８と、グラフィック生成回路１０９と、パネル駆動回路１１０と、表示パネル１１１とを有している。
【００３４】
また、テレビ受信機１００は、音声信号処理回路１１２と、音声増幅回路１１３と、スピーカ１１４と、イーサネットインタフェース（Ethernet I/F）１１５と、ネットワーク端子１１６を有している。また、テレビ受信機１００は、内部バス１２０と、ＣＰＵ１２１と、フラッシュＲＯＭ１２２と、ＳＤＲＡＭ（Synchronous RAM）１２３と、表示制御部１２４と、リモコン受信部１２５と、リモコン送信機１２６と、電源部１２７を有している。なお、「イーサネット」および「Ｅｔｈｅｒｎｅｔ」は登録商標である。
【００３５】
ＣＰＵ１２１は、テレビ受信機１００の各部の動作を制御する。フラッシュＲＯＭ１２２は、制御ソフトウェアの格納およびデータの保管を行う。ＳＤＲＡＭ１２３は、ＣＰＵ１２１のワークエリアを構成する。ＣＰＵ１２１は、フラッシュＲＯＭ１２２から読み出したソフトウェアやデータをＳＤＲＡＭ１２３上に展開してソフトウェアを起動させ、テレビ受信機１００の各部を制御する。
【００３６】
リモコン受信部１２５は、リモコン送信機１２６から送信されたリモーコントロール信号（リモコンコード）を受信し、ＣＰＵ１２１に供給する。ＣＰＵ１２１は、このリモコンコードに基づいて、テレビ受信機１００の各部を制御する。なお、この実施の形態では、ユーザ指示入力部としてリモートコントロール部を示しているが、ユーザ指示入力部は、その他の構成、例えば、近接/タッチにより指示入力を行うタッチパネル部、マウス、キーボード、カメラで指示入力を検出するジェスチャ入力部、音声により指示入力を行う音声入力部などであってもよい。
【００３７】
アンテナ端子１０５は、受信アンテナ（図示せず）で受信されたテレビ放送信号を入力する端子である。デジタル放送チューナ１０６は、アンテナ端子１０５に入力されたテレビ放送信号を処理して、ユーザの選択チャネルに対応した所定のトランスポートストリームから、パーシャルＴＳ（Transport Stream）（映像データのＴＳパケット、音声データのＴＳパケット）を抽出する。
【００３８】
また、デジタル放送チューナ１０６は、得られたトランスポートストリームから、ＰＳＩ／ＳＩ（Program Specific Information／Service Information）を取り出し、ＣＰＵ１２１に出力する。デジタル放送チューナ１０６で得られた複数のトランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００３９】
ＭＰＥＧデコーダ１０７は、デジタル放送チューナ１０６で得られる映像データのＴＳパケットにより構成される映像ＰＥＳ（Packetized Elementary Stream）パケットに対してデコード処理を行って画像データを得る。また、ＭＰＥＧデコーダ１０７は、デジタル放送チューナ１０６で得られる音声データのＴＳパケットにより構成される音声ＰＥＳパケットに対して復号化処理を行って音声データを得る。なお、放送フォーマットがＭＰＥＧ ＴＳではなくＭＰＥＧ ＭＭＴである場合も同様の処理が行われる。
【００４０】
映像信号処理回路１０８およびグラフィック生成回路１０９は、ＭＰＥＧデコーダ１０７で得られた画像データ、あるいはＨＤＭＩ受信部１０２で受信された画像データに対して、必要に応じてスケーリング処理（解像度変換処理）、グラフィックスデータの重畳処理等を行う。
【００４１】
パネル駆動回路１１０は、グラフィック生成回路１０９から出力される映像（画像）データに基づいて、表示パネル１１１を駆動する。表示制御部１２４は、グラフィクス生成回路１０９やパネル駆動回路１１０を制御して、表示パネル１１１における表示を制御する。表示パネル１１１は、例えば、ＬＣＤ(Liquid Crystal Display)、ＰＤＰ(Plasma Display Panel)、有機ＥＬパネル（Organic Electro-Luminescence Panel）等で構成されている。
【００４２】
なお、この実施の形態では、ＣＰＵ１２１の他に表示制御部１２４を有する例を示しているが、表示パネル１１１における表示をＣＰＵ１２１が直接制御するようにしてもよい。また、ＣＰＵ１２１と表示制御部１２４は、１つのチップになっていても、複数コアであってもよい。電源部１２７は、テレビ受信機１００の各部に電源を供給する。この電源部１２７は、ＡＣ電源であっても、電池（蓄電池、乾電池）であってもよい。
【００４３】
音声信号処理回路１１２はＭＰＥＧデコーダ１０７で得られた音声データに対してＤ／Ａ変換等の必要な処理を行う。音声増幅回路１１３は、音声信号処理回路１１２から出力される音声信号を増幅してスピーカ１１４に供給する。なお、スピーカ１１４は、モノラルでもステレオでもよい。また、スピーカ１１４は、１つでもよく、２つ以上でもよい。また、スピーカ１１４は、イヤホン、ヘッドホンでもよい。また、スピーカ１１４は、２．１チャネルや、５．１、７．１、２２．２チャネルなどに対応するものであってもよい。また、スピーカ１１４は、テレビ受信機１００と無線で接続されてもよい。また、スピーカ１１４は、他機器であってもよい。
【００４４】
ネットワーク端子１１６は、ネットワークに接続する端子であり、イーサネットインタフェース１１５に接続される。ＣＰＵ１２１、フラッシュＲＯＭ１２２、ＳＤＲＡＭ１２３、イーサネットインタフェース１１５および表示制御部１２４は、内部バス１２０に接続されている。
【００４５】
ＨＤＭＩ受信部（ＨＤＭＩシンク）１０２は、ＨＤＭＩに準拠した通信により、ＨＤＭＩケーブルを介してＨＤＭＩ端子１０１に供給されるベースバンドの画像（映像）と音声のデータを受信する。高速バスインタフェース１０３は、ＨＤＭＩケーブルを構成するリザーブラインおよびＨＰＤラインを用いて構成される双方向通信路のインタフェースである。ＨＤＭＩ受信部１０２の詳細は後述する。
【００４６】
ＳＰＤＩＦ送信回路１０４は、ＩＥＣ ６０９５８規格のデジタルオーディオ伝送信号（以下、適宜、「ＳＰＤＩＦ信号」という）を送信するための回路である。このＳＰＤＩＦ送信回路１０４はＩＥＣ ６０９５８規格に準拠した送信回路である。
【００４７】
この実施の形態において、ＳＰＤＩＦ送信回路１０４は、２チャネル、５．１チャネル、７．１チャネル、２２．２チャネル等の所定チャネル数の圧縮デジタルオーディオ信号ＳＡを含むＳＰＤＩＦ信号を生成する。この圧縮デジタルオーディオ信号ＳＡは、例えば、デジタル放送チューナ１０６で放送信号から取得された例えばＭＰＥＧ−４ ＡＡＣの圧縮デジタルオーディオ信号、つまりＭＰＥＧデコーダ１０７で復号化処理を行う前のデジタルオーディオ信号である
【００４８】
また、この実施の形態において、ＳＰＤＩＦ送信回路１０４は、圧縮デジタルオーディオ信号ＳＡに、第１、第２、第３のメタデータを付加する。ここで、第１のメタデータは、圧縮デジタルオーディオ信号の伝送周波数を示すメタデータである。第２のメタデータは、各チャネルの非圧縮デジタルオーディオ信号をアナログ信号に変換する際に使用されるサンプリング周波数を示すメタデータである。第３のメタデータは、伝送周波数のサンプリング周波数に対する比率を示すメタデータである。なお、ＳＰＤＩＦ信号の詳細は後述する。
【００４９】
高速バスインタフェース１０３は、イーサネットインタフェース１１５とＨＤＭＩ端子１０１との間に挿入されている。この高速バスインタフェース１０３は、ＨＤＭＩケーブルからＨＤＭＩ端子１０１を介して相手側の機器から受信された受信データを、イーサネットインタフェース１１５を通じてＣＰＵ１２１に供給する。
【００５０】
また、この高速バスインタフェース１０３は、ＣＰＵ１２１からイーサネットインタフェース１１５を通じて供給される送信データを、ＨＤＭＩ端子１０１からＨＤＭＩケーブルを介して相手側の機器に送信する。また、この高速バスインタフェース１０３は、ＳＰＤＩＦ送信回路１０４で生成されたＳＰＤＩＦ信号を、ＨＤＭＩ端子１０１からＨＤＭＩケーブルを介して相手側の機器に送信する。なお、高速バスインタフェース１０３の詳細は後述する。
【００５１】
なお、例えば、受信されたコンテンツデータをネットワークに送出する際には、このコンテンツデータは、イーサネットインタフェース１１５を介して、ネットワーク端子１１６に出力される。同様に、受信されたコンテンツデータをＨＤＭＩケーブルの双方向通信路に送出する際には、当該コンテンツデータは、イーサネットインタフェース１１５および高速バスインタフェース１０３を介して、ＨＤＭＩ端子１０１に出力される。ここで、画像データを出力する前に、著作権保護技術、例えばＨＤＣＰ、ＤＴＣＰ、ＤＴＣＰ＋などを用いて暗号化してから伝送してもよい。
【００５２】
図２に示すテレビ受信機１００の動作を簡単に説明する。アンテナ端子１０５に入力されたテレビ放送信号はデジタル放送チューナ１０６に供給される。このデジタル放送チューナ１０６では、テレビ放送信号を処理して、ユーザの選択チャネルに対応した所定のトランスポートストリームが出力され、トランスポートストリームから、パーシャルＴＳ（映像データのＴＳパケット、音声データのＴＳパケット）が抽出され、当該パーシャルＴＳはＭＰＥＧデコーダ１０７に供給される。テレビ放送信号がＭＭＴ形式の場合は、音声データはＬＡＴＭ/ＬＯＡＳ形式である。
【００５３】
ＭＰＥＧデコーダ１０７では、映像データのＴＳパケットにより構成される映像ＰＥＳパケットに対してデコード処理が行われて映像データが得られる。この映像データは、映像信号処理回路１０８およびグラフィック生成回路１０９において、必要に応じて、スケーリング処理（解像度変換処理）、グラフィックスデータの重畳処理等が行われた後に、パネル駆動回路１１０に供給される。そのため、表示パネル１１１には、ユーザの選択チャネルに対応した画像が表示される。
【００５４】
また、ＭＰＥＧデコーダ１０７では、音声データのＴＳパケットにより構成される音声ＰＥＳパケットに対してデコード処理が行われて音声データが得られる。この音声データは、音声信号処理回路１１２でＤ／Ａ変換等の必要な処理が行われ、さらに、音声増幅回路１１３で増幅された後に、スピーカ１１４に供給される。そのため、スピーカ１１４から、ユーザの選択チャネルに対応した音声が出力される。音声データがＬＡＴＭ/ＬＯＡＳ形式である場合は、その形式に従ってデコード処理が行われる。
【００５５】
また、ネットワーク端子１１６からイーサネットインタフェース１１５に供給される、あるいは、ＨＤＭＩ端子１０１から高速バスインタフェース１０３を通じてイーサネットインタフェース１１５に供給されるコンテンツデータ（画像データ、音声データ）は、ＭＰＥＧデコーダ１０７に供給される。以降は、上述したテレビ放送信号の受信時と同様の動作となり、表示パネル１１１に画像が表示され、スピーカ１１４から音声が出力される。
【００５６】
また、ＨＤＭＩ受信部１０２では、ＨＤＭＩ端子１０１にＨＤＭＩケーブルを介して送信されてくる画像データおよび音声データが取得される。画像データは、映像信号処理回路１０８に供給される。また、音声データは、音声信号処理回路１１２に供給される。以降は、上述したテレビ放送信号の受信時と同様の動作となり、表示パネル１１１に画像が表示され、スピーカ１１４から音声が出力される。
【００５７】
また、ＳＰＤＩＦ送信回路１０４で生成されたＳＰＤＩＦ信号（所定チャネル数の圧縮デジタルオーディオ信号ＳＡを含む）は、高速バスインタフェース１０３に供給される。そして、このＳＰＤＩＦ信号は、高速バスインタフェース１０３により、ＨＤＭＩ端子１０１からＨＤＭＩケーブル６１０を介してオーディオアンプ２００に送信される。
【００５８】
［オーディオアンプの構成例］
図３は、オーディオアンプ２００の構成例を示している。オーディオアンプ２００は、ＨＤＭＩ端子２０１ａ，２０１ｂと、ＨＤＭＩ送信部２０２ａと、ＨＤＭＩ受信部２０２ｂと、高速バスインタフェース２０３ａ，２０３ｂと、ＳＰＤＩＦ受信回路２０４を有している。
【００５９】
また、オーディオアンプ２００は、ＭＰＥＧデコーダ２０５と、映像・グラフィック処理回路２０６と、音声処理回路２０７と、音声増幅回路２０８と、音声出力端子２０９を有している。また、オーディオアンプ２００は、イーサネットインタフェース２１０と、内部バス２１１と、ＣＰＵ２１２と、フラッシュＲＯＭ２１３と、ＤＲＡＭ２１４と、表示制御部２１５と、パネル駆動回路２１６と、表示パネル２１７と、電源部２１８と、リモコン受信部２１９と、リモコン送信機２２０を有している。
【００６０】
ＣＰＵ２１２は、オーディオアンプ２００の各部の動作を制御する。フラッシュＲＯＭ２１３は、制御ソフトウェアの格納およびデータの保管を行う。ＤＲＡＭ２１４は、ＣＰＵ２１２のワークエリアを構成する。ＣＰＵ２１２は、フラッシュＲＯＭ２１３から読み出したソフトウェアやデータをＤＲＡＭ２１４上に展開してソフトウェアを起動させ、オーディオアンプ２００の各部を制御する。ＣＰＵ２１２、フラッシュＲＯＭ２１３、ＤＲＡＭ２１４、イーサネットインタフェース２１０および表示制御部２１５は、内部バス２１１に接続されている。
【００６１】
リモコン受信部２１９は、リモコン送信機２２０から送信されたリモーコントロール信号（リモコンコード）を受信し、ＣＰＵ２１２に供給する。ＣＰＵ２１２は、このリモコンコードに基づいて、オーディオアンプ２００の各部を制御する。なお、この実施の形態では、ユーザ指示入力部としてリモートコントロール部を示しているが、ユーザ指示入力部は、その他の構成、例えば、近接/タッチにより指示入力を行うタッチパネル部、マウス、キーボード、カメラで指示入力を検出するジェスチャ入力部、音声により指示入力を行う音声入力部などであってもよい。
【００６２】
ＨＤＭＩ送信部（ＨＤＭＩソース）２０２ａは、ＨＤＭＩに準拠した通信により、ベースバンドの映像（画像）と音声のデータを、ＨＤＭＩ端子２０１ａからＨＤＭＩケーブルに送出する。ＨＤＭＩ受信部（ＨＤＭＩシンク）２０２ｂは、ＨＤＭＩに準拠した通信により、ＨＤＭＩケーブルを介してＨＤＭＩ端子２０１ｂに供給されるベースバンドの映像（画像）と音声のデータを受信する。ＨＤＭＩ送信部２０２ａおよびＨＤＭＩ受信部２０２ｂの詳細は後述する。
【００６３】
高速バスインタフェース２０３ａ，２０３ｂは、ＨＤＭＩケーブルを構成するリザーブラインおよびＨＰＤラインを用いた双方向通信のインタフェースである。高速バスインタフェース２０３ａ，２０３ｂの詳細は後述する。ＳＰＤＩＦ受信回路２０４は、ＳＰＤＩＦ信号（ＩＥＣ ６０９５８規格のデジタルオーディオ信号）を受信するための回路である。このＳＰＤＩＦ受信回路２０４はＩＥＣ ６０９５８規格に準拠した受信回路である。
【００６４】
この実施の形態において、ＳＰＤＩＦ受信回路２０４は、所定チャネル数の圧縮デジタルオーディオ信号ＳＡを含むＳＰＤＩＦ信号を受信し、この圧縮デジタルオーディオ信号ＳＡを出力する。また、この実施の形態において、ＳＰＤＩＦ受信回路２０４は、圧縮デジタルオーディオ信号ＳＡに付加されている第１、第２、第３のメタデータを抽出し、ＣＰＵ２１２に送る。
【００６５】
上述したように、第１のメタデータは、圧縮デジタルオーディオ信号の伝送周波数を示すメタデータである。第２のメタデータは、各チャネルの非圧縮デジタルオーディオ信号をアナログ信号に変換する際に使用されるサンプリング周波数を示すメタデータである。第３のメタデータは、伝送周波数のサンプリング周波数に対する比率を示すメタデータである。
【００６６】
ＣＰＵ２１２は、第１、第２、第３のメタデータに基づいて、圧縮デジタルオーディオ信号ＳＡに関係する各部の処理を制御する。この場合、ＣＰＵ２１２は、第１のメタデータで示される伝送周波数の第２のメタデータで示されるサンプリング周波数に対する比率を第３のメタデータで示される比率と比較し、第１のメタデータあるいは第２のメタデータの誤りを検出する。
【００６７】
ＣＰＵ２１２は、２つの比率が一致しないとき、第１のメタデータあるいは第２のメタデータに誤りがあると判断し、圧縮デジタルオーディオ信号ＳＡに関係する各部の処理（復号化処理、アナログ信号に変換する処理、ユーザに再生オーディオ周波数帯域を明示する処理など）を停止させることが可能である。このとき、ＣＰＵ２１２は、例えば、表示パネル２１７に「エラー」が表示されるように制御し、ＳＰＤＩＦ受信回路２０４で受信された圧縮デジタルオーディオ信号ＳＡによる音声出力ができないことをユーザに通知することが可能である。
【００６８】
ＭＰＥＧデコーダ２０５は、高速バスインタフェース２０３ａを介してイーサネットインタフェース２１０に供給されるパーシャルＴＳを復号化する。この場合、パーシャルＴＳのうち、音声のＰＥＳパケットに対して復号化処理を行って、２チャネルあるいはマルチチャネルの非圧縮デジタルオーディオ信号を得る。
【００６９】
また、ＭＰＥＧデコーダ２０５は、ＳＰＤＩＦ受信回路２０４で得られた所定チャネル数の圧縮デジタルオーディオ信号ＳＡに復号化処理を施し、２チャネルあるいはマルチチャネルの各チャネルの非圧縮デジタルオーディオ信号を得る。
【００７０】
このとき、ＭＰＥＧデコーダ２０５は、ＣＰＵ２１２の制御のもと、第１のメタデータで示される伝送周波数に応じた周波数にＰＬＬをロックし、このＰＬＬでロックされた周波数のクロック信号を用いて圧縮デジタルオーディオ信号ＳＡに復号化処理を施し、２チャネルあるいはマルチチャネルの各チャネルの非圧縮デジタルオーディオ信号を得る。
【００７１】
音声処理回路２０７は、ＭＰＥＧデコーダ２０５で得られた２チャネルあるいはマルチチャネルの各チャネルの非圧縮デジタルオーディオ信号にＤ／Ａ変換等の必要な処理を施し、各チャネルのアナログオーディオ信号を得る。このとき、音声処理回路２０７は、圧縮デジタルオーディオ信号ＳＡに復号化処理が施されて得られた各チャネルの非圧縮デジタルオーディオ信号に関しては、第２のメタデータで示されるサンプリング周波数でアナログ信号に変換する。
【００７２】
音声増幅回路２０８は、音声処理回路２０７で得られる２チャネルあるいはマルチチャネルの各チャネルのアナログオーディオ信号を増幅して音声出力端子２０９に出力する。なお、音声出力端子２０９には、２チャネル用あるいはマルチチャネル用のスピーカシステム５００が接続されている。
【００７３】
音声処理回路２０７は、さらに、ＨＤＭＩ受信部２０２ｂで得られた音声データを、必要な処理を施した後に、ＨＤＭＩ送信部２０２ａに供給する。映像・グラフィック処理回路２０６は、ＨＤＭＩ受信部２０２ｂで得られた映像（画像）データを、グラフィックスデータの重畳等の処理を施した後に、ＨＤＭＩ送信部２０２ａに供給する。
【００７４】
表示制御部２１５は、例えば、ユーザインタフェース表示あるいはオーディオアンプ２００のステータス表示等を行うために、パネル駆動回路２１６を制御し、表示パネル２１７における表示を制御する。表示パネル２１７は、例えば、ＬＣＤ(Liquid Crystal Display)、有機ＥＬパネル（Organic Electro-Luminescence Panel）等で構成されている。
【００７５】
この実施の形態において、表示パネル２１７は、ＳＰＤＩＦ受信回路２０４で得られた所定チャネル数の圧縮デジタルオーディオ信号ＳＡに係る音声出力を行う場合、表示制御部２１５（ＣＰＵ２１２）の制御のもと、第２のメタデータで示されるサンプリング周波数を、各チャネルの出力アナログオーディオ信号のサンプリング周波数として表示する。
【００７６】
また、この場合、表示パネル２１７は、表示制御部２１５（ＣＰＵ２１２）の制御のもと、第１のメタデータで示される伝送周波数または第３のメタデータで示される比率を用いて、圧縮デジタルオーディオ信号ＳＡの伝送周波数を示す表示をする。
【００７７】
図４（ｂ）は、表示パネル２１７における表示例を示している。この例は、図４（ａ）に示すように、テレビ受信機１００からオーディオアンプ２００に、サンプリング周波数が４８ｋＨｚである２２．２チャネルのＭＰＥＧ−４ ＡＡＣの圧縮デジタルオーディオ信号ＳＡを９６ｋＨｚで伝送した場合の例である。
【００７８】
図４（ｂ）の「４８ｋＨｚ再生」の表示は、各チャネルの出力アナログオーディオ信号のサンプリング周波数を示している。「９６ｋＨｚ伝送」あるいは「ｘ２伝送」は、圧縮デジタルオーディオ信号ＳＡの伝送周波数を示している。ここで、「９６ｋＨｚ伝送」は第１のメタデータで示される伝送周波数を用いた表示であり、「ｘ２伝送」は第３のメタデータで示される比率を用いた表示となる。
【００７９】
なお、この実施の形態では、ＣＰＵ２１２の他に表示制御部２１５を有する例を示しているが、表示パネル２１７における表示をＣＰＵ２１２が直接制御するようにしてもよい。また、ＣＰＵ２１２と表示制御部２１５は、１つのチップになっていても、複数コアであってもよい。電源部２１８は、オーディオアンプ２００の各部に電源を供給する。この電源部２１８は、ＡＣ電源であっても、電池（蓄電池、乾電池）であってもよい。
【００８０】
図３に示すオーディオアンプ２００の動作を簡単に説明する。ＨＤＭＩ受信部２０２ｂでは、ＨＤＭＩ端子２０１ｂにＢＤプレーヤ３００からＨＤＭＩケーブル６２０を介して送信されてくる、映像（画像）データおよび音声データが取得される。この映像データおよび音声データは、それぞれ、映像・グラフィック処理回路２０６および音声処理回路２０７を介して、ＨＤＭＩ送信部２０２ａに供給され、ＨＤＭＩ端子２０２ａに接続されたＨＤＭＩケーブル６１０を介してテレビ受信機１００に送信される。
【００８１】
高速バスインタフェース２０３ａでは、ＨＤＭＩ端子２０１ａに接続されているＨＤＭＩケーブル６１０の所定ラインを通じてテレビ受信機１００から送信されてくるパーシャルＴＳが受信される。このパーシャルＴＳは、イーサネットインタフェース２１１を介してＭＰＥＧデコーダ２０５に供給される。ＭＰＥＧデコーダ２０５では、パーシャルＴＳを構成する音声データのＰＥＳパケットに対してデコード処理が施されて２チャネルあるいはマルチチャネルの各チャネルの非圧縮デジタルオーディオ信号が得られる。
【００８２】
この各チャネルの非圧縮デジタルオーディオ信号は音声処理回路２０７に供給されてＤ／Ａ変換等の必要な処理が施される。そして、ミューティングがオフ状態にあるとき、音声処理回路２０７から出力される各チャネルのアナログオーディオ信号が増幅されて音声出力端子２０９に出力される。そのため、スピーカシステム５００から２チャネルあるいはマルチチャネルの音声出力が得られる。
【００８３】
また、高速バスインタフェース２０３ａでは、ＨＤＭＩ端子２０１ａに接続されているＨＤＭＩケーブル６１０の所定ラインを通じてテレビ受信機１００から送信されてくる、所定チャネル数の圧縮デジタルオーディオ信号ＳＡを含むＳＰＤＩＦ信号が受信される。このＳＰＤＩＦ信号は、ＳＰＤＩＦ受信回路２０４に供給される。ＳＰＤＩＦ受信回路２０４では、ＳＰＤＩＦ信号が処理されて、所定チャネル数の圧縮デジタルオーディオ信号ＳＡが得られる。
【００８４】
この圧縮デジタルオーディオ信号ＳＡはＭＰＥＧデコーダ２０５に供給される。ＭＰＥＧデコーダ２０５では、圧縮デジタルオーディオ信号ＳＡに復号化処理が施され、２チャネルあるいはマルチチャネルの各チャネルの非圧縮デジタルオーディオ信号が得られる。
【００８５】
この各各チャネルの非圧縮デジタルオーディオ信号は音声処理回路２０７に供給されてＤ／Ａ変換等の必要な処理が施される。そして、ミューティングがオフ状態にあるとき、音声処理回路２０７から出力される各チャネルのアナログオーディオ信号が増幅されて音声出力端子２０９に出力される。そのため、スピーカシステム５００から２チャネルあるいはマルチチャネルの音声出力が得られる。
【００８６】
なお、上述したように高速バスインタフェース２０３ａで受信され、イーサネットインタフェース２１０に供給されるパーシャルＴＳは、高速バスインタフェース２０３ｂに送信データとして供給される。そのため、これらパーシャルＴＳは、ＨＤＭＩ端子２０１ｂに接続されたＨＤＭＩケーブル６２０を介してＢＤプレーヤ３００に送信される。
【００８７】
［ＢＤプレーヤの構成例］
図５は、ＢＤプレーヤ３００の構成例を示している。このＢＤプレーヤ３００は、ＨＤＭＩ端子３０１と、ＨＤＭＩ送信部３０２と、高速バスインタフェース３０３を有している。また、このＢＤプレーヤ３００は、内部バス３０４と、ＣＰＵ（Central Processing Unit）３０５と、フラッシュＲＯＭ（Read Only Memory）３０６と、ＳＤＲＡＭ（Synchronous Random Access Memory）３０７と、表示制御部３０８と、リモコン受信部３０９と、リモコン送信機３１０を有している。
【００８８】
また、ＢＤプレーヤ３００は、記憶（記録）媒体制御インタフェース３１１と、ＢＤ(Blu-Ray Disc)ドライブ３１２ａと、ＨＤＤ（Hard disk drive）３１２ｂと、ＳＳＤ（Solid State Drive）３１２ｃと、イーサネットインタフェース（Ethernet I/F）３１３と、ネットワーク端子３１４を有している。また、ＢＤプレーヤ３００は、ＭＰＥＧ(Moving Picture Expert Group)デコーダ３１５と、グラフィック生成回路３１６と、映像出力端子３１７と、音声出力端子３１８を有している。
【００８９】
また、ＢＤプレーヤ３００は、パネル駆動回路３１９と、表示パネル３２０と、電源部３２１を有している。ＣＰＵ３０５、フラッシュＲＯＭ３０６、ＳＤＲＡＭ３０７、記憶媒体制御インタフェース３１１、イーサネットインタフェース３１３およびＭＰＥＧデコーダ３１５は、内部バス３０４に接続されている。
【００９０】
ＣＰＵ３０５は、ＢＤプレーヤ３００の各部の動作を制御する。フラッシュＲＯＭ３０６は、制御ソフトウェアの格納およびデータの保管を行う。ＳＤＲＡＭ３０７は、ＣＰＵ３０５のワークエリアを構成する。ＣＰＵ３０５は、フラッシュＲＯＭ３０６から読み出したソフトウェアやデータをＳＤＲＡＭ３０７上に展開してソフトウェアを起動させ、ＢＤプレーヤ３００の各部を制御する。
【００９１】
リモコン受信部３０９は、リモコン送信機３１０から送信されたリモーコントロール信号（リモコンコード）を受信し、ＣＰＵ３０５に供給する。ＣＰＵ３０５は、リモコンコードに従ってＢＤプレーヤ３００の各部を制御する。なお、この実施の形態では、ユーザ指示入力部としてリモートコントロール部を示しているが、ユーザ指示入力部は、その他の構成、例えば、スイッチ、ホイール、近接/タッチにより指示入力を行うタッチパネル部、マウス、キーボード、カメラで指示入力を検出するジェスチャ入力部、音声により指示入力を行う音声入力部などであってもよい。
【００９２】
ＢＤドライブ３１２aは、ディスク状記録メディアとしてのＢＤディスクに対して、コンテンツデータを記録し、あるいは、このＢＤディスクからコンテンツデータを再生する。ＨＤＤ３１２ｂは、コンテンツデータを記録し、あるいは、そのコンテンツデータを再生する。ＳＳＤ３１２ｃは、メモリカード等の半導体メモリに対して、コンテンツデータを記録し、あるいは、この半導体メモリからコンテンツデータを再生する。
【００９３】
ＢＤドライブ３１２ａ、ＨＤＤ３１２ｂ、ＳＳＤ３１２ｃは、記憶媒体制御インタフェース３１１を介して内部バス３０４に接続されている。例えば、ＢＤドライブ３１２ａやＨＤＤ３１２ｂのためのインタフェースとしてはＳＡＴＡインタフェースが使用される。また、例えば、ＳＳＤ３１２ｃのためのインタフェースとしてＳＡＴＡインタフェースあるいはＰＣＩｅインタフェースが使用される。
【００９４】
ＭＰＥＧデコーダ３１５は、ＢＤドライブ３１２ａ、ＨＤＤ３１２ｂあるいはＳＳＤ３１２ｃで再生されたＭＰＥＧ２ストリームに対してデコード処理を行って画像および音声のデータを得る。グラフィック生成回路３１６は、ＭＰＥＧデコーダ３１５で得られた画像データに対して、必要に応じてグラフィックスデータの重畳処理等を行う。映像出力端子３１７は、グラフィック生成回路３１６から出力される画像データを出力する。音声出力端子３１８は、ＭＰＥＧデコーダ３１５で得られた音声データを出力する。
【００９５】
パネル駆動回路３１９は、グラフィック生成回路３１６から出力される映像（画像）データに基づいて、表示パネル３２０を駆動する。表示制御部３０８は、グラフィクス生成回路３１６やパネル駆動回路３１９を制御して、表示パネル３２０における表示を制御する。表示パネル３２０は、例えば、ＬＣＤ(Liquid Crystal Display)、ＰＤＰ(Plasma Display Panel)有機ＥＬパネル（Organic Electro-Luminescence Panel）等で構成されている。
【００９６】
なお、この実施の形態では、ＣＰＵ３０５の他に表示制御部３０８を有する例を示しているが、表示パネル３２０における表示をＣＰＵ３０５が直接制御するようにしてもよい。また、ＣＰＵ３０５と表示制御部３０８は、１つのチップになっていても、複数コアであってもよい。電源部３２１は、ＢＤプレーヤ３００の各部に電源を供給する。この電源部３２１は、ＡＣ電源であっても、電池（蓄電池、乾電池）であってもよい。
【００９７】
ＨＤＭＩ送信部（ＨＤＭＩソース）３０２は、ＨＤＭＩに準拠した通信により、ベースバンドの画像（映像）と音声のデータを、ＨＤＭＩ端子３０１から送出する。高速バスインタフェース３０３は、ＨＤＭＩケーブルを構成するリザーブラインおよびＨＰＤラインを用いて構成される双方向通信路のインタフェースである。なお、ＨＤＭＩ送信部３０２の詳細は、後述する。
【００９８】
この高速バスインタフェース３０３は、イーサネットインタフェース３１３とＨＤＭＩ端子３０１との間に挿入されている。この高速バスインタフェース３０３は、ＣＰＵ３０５から供給される送信データを、ＨＤＭＩ端子３０１からＨＤＭＩケーブルを介して相手側の機器に送信する。また、この高速バスインタフェース３０３は、ＨＤＭＩケーブルからＨＤＭＩ端子３０１を介して相手側の機器から受信された受信データをＣＰＵ３０５に供給する。なお、高速バスインタフェース３０３の詳細は後述する。
【００９９】
図５に示すＢＤプレーヤ３００の動作を簡単に説明する。記録時には、図示されないデジタル放送チューナを介して、あるいはネットワーク端子３１４からイーサネットインタフェース３１１を介して、あるいはＨＤＭＩ端子３０１から高速バスインタフェース３０３を介して、記録すべきコンテンツデータが取得される。このコンテンツデータは、記憶媒体制御インタフェース３１１に入力され、ＢＤドライブ３１２ａによりＢＤディスクに、ＨＤＤ３１２ｂに、あるいはＳＳＤ３１２ｃにより半導体メモリに記録される。
【０１００】
再生時には、ＢＤドライブ３１２ａ、ＨＤＤ３１２ｂ、あるいはＳＳＤ３１２ｃで再生されたコンテンツデータ（ＭＰＥＧストリーム）は、記憶媒体制御インタフェース３１１を介してＭＰＥＧデコーダ３１５に供給される。ＭＰＥＧデコーダ３１５では、再生されたコンテンツデータに対してデコード処理が行われ、ベースバンドの画像および音声のデータが得られる。画像データは、グラフィック生成回路３１６を通じて映像出力端子３１７に出力される。また、音声データは、音声出力端子３１８に出力される。
【０１０１】
また、再生時には、ＭＰＥＧデコーダ３１５で得られた画像データが、ユーザ操作に応じて、グラフィック生成回路３１６を通じてパネル駆動回路３１９に供給され、表示パネル３２０に再生画像が表示される。また、ＭＰＥＧデコーダ３１５で得られた音声データが、ユーザ操作に応じて、図示しないスピーカに供給され、再生画像に対応した音声が出力される。
【０１０２】
また、この再生時に、ＭＰＥＧデコーダ３１５で得られた画像および音声のデータをＨＤＭＩのＴＭＤＳチャネルで送信する場合には、これら画像および音声のデータは、ＨＤＭＩ送信部３０２に供給されてパッキングされ、このＨＤＭＩ送信部３０２からＨＤＭＩ端子３０１に出力される。
【０１０３】
また、再生時に、ＢＤドライブ３１２ａ、ＨＤＤ３１２ｂ、あるいはＳＳＤ３１２ｃで再生されたコンテンツデータをネットワークに送出する際には、このコンテンツデータは、イーサネットインタフェース３１３を介して、ネットワーク端子３１４に出力される。同様に、再生時に、ＢＤドライブ３１２ａ、ＨＤＤ３１２ｂ、あるいはＳＳＤ３１２ｃで再生されたコンテンツデータをＨＤＭＩケーブル６２０の双方向通信路に送出する際には、当該コンテンツデータは、高速バスインタフェース３０３を介して、ＨＤＭＩ端子３０１に出力される。ここで、画像データを出力する前に、著作権保護技術、例えばＨＤＣＰ、ＤＴＣＰ、ＤＴＣＰ＋などを用いて暗号化してから伝送してもよい。
【０１０４】
「ＨＤＭＩ送信部/受信部の構成例」
図６は、図１のＡＶシステム１０における、テレビ受信機１００のＨＤＭＩ受信部１０２とオーディオアンプ２００のＨＤＭＩ送信部２０２ａの構成例を示している。なお、オーディオアンプ２００のＨＤＭＩ受信部２０２ｂとＢＤプレーヤ３００のＨＤＭＩ送信部３０２の構成例に関しては、同様の構成となるので、説明は省略する。
【０１０５】
ＨＤＭＩ送信部２０２ａは、ある垂直同期信号から次の垂直同期信号までの区間（以下、適宜、「ビデオフィールド」という）から、水平ブランキング期間および垂直ブランキング期間を除いた区間である有効画像区間（以下、適宜、「アクティブビデオ区間」という）において、ベースバンド（非圧縮）の一画面分の画像データの差動信号を、複数のチャネルで、ＨＤＭＩ受信部１０２に一方向に送信する。また、ＨＤＭＩ送信部２０２ａは、水平ブランキング期間および垂直ブランキング期間において、画像データに付随する音声データおよび制御パケット（Control Packet）、さらにその他の補助データ等に対応する差動信号を、複数のチャネルで、ＨＤＭＩ受信部１０２に一方向に送信する。
【０１０６】
ＨＤＭＩ送信部２０２ａは、ソース信号処理部７１およびＨＤＭＩトランスミッタ７２を有する。ソース信号処理部７１には、ベースバンドの非圧縮の画像（Video）および音声（Audio）のデータが供給される。ソース信号処理部７１は、供給される画像および音声のデータに必要な処理を施し、ＨＤＭＩトランスミッタ７２に供給する。また、ソース信号処理部７１は、ＨＤＭＩトランスミッタ７２との間で、必要に応じて、制御用の情報やステータスを知らせる情報（Control/Status）等をやりとりする。
【０１０７】
ＨＤＭＩトランスミッタ７２は、ソース信号処理部７１から供給される画像データを、対応する差動信号に変換し、複数のチャネルである３つのＴＭＤＳチャネル＃０，＃１，＃２で、ＨＤＭＩケーブル６１０を介して接続されているＨＤＭＩ受信部１０２に、一方向に送信する。
【０１０８】
さらに、トランスミッタ７２、ソース信号処理部７１から供給される、非圧縮の画像データに付随する音声データや制御パケットその他の補助データ（auxiliary data）と、垂直同期信号（VSYNC）、水平同期信号（HSYNC）等の制御データ（control data）とを、対応する差動信号に変換し、３つのＴＭＤＳチャネル＃０，＃１，＃２で、ＨＤＭＩケーブル６１０を介して接続されているＨＤＭＩ受信部１０２に、一方向に送信する。
【０１０９】
また、トランスミッタ７２は、３つのＴＭＤＳチャネル＃０，＃１，＃２で送信する画像データに同期したピクセルクロックを、ＴＭＤＳクロックチャネルで、ＨＤＭＩケーブル６１０を介して接続されているＨＤＭＩ受信部１０２に送信する。
【０１１０】
ＨＤＭＩ受信部１０２は、アクティブビデオ区間において、複数チャネルで、ＨＤＭＩ送信部２０２ａから一方向に送信されてくる、画像データに対応する差動信号を受信すると共に、水平ブランキング期間および垂直ブランキング期間において、複数のチャネルで、ＨＤＭＩ送信部２０２ａから送信されてくる、補助データや制御データに対応する差動信号を受信する。
【０１１１】
ＨＤＭＩ受信部１０２は、ＨＤＭＩレシーバ８１およびシンク信号処理部８２を有する。ＨＤＭＩレシーバ８１は、ＴＭＤＳチャネル＃０，＃１，＃２で、ＨＤＭＩケーブル６１０を介して接続されているＨＤＭＩ送信部２０２ａから一方向に送信されてくる、画像データに対応する差動信号と、補助データや制御データに対応する差動信号を、同じくＨＤＭＩ送信部２０２ａからＴＭＤＳクロックチャネルで送信されてくるピクセルクロックに同期して受信する。さらに、ＨＤＭＩレシーバ８１は、差動信号を、対応する画像データ、補助データ、制御データに変換し、必要に応じて、シンク信号処理部８２に供給する。
【０１１２】
シンク信号処理部８２は、ＨＤＭＩレシーバ８１から供給されるデータに必要な処理を施して出力する。その他、シンク信号処理部８２は、ＨＤＭＩレシーバ８１との間で、必要に応じて、制御用の情報やステータスを知らせる情報（Control/Status）等をやりとりする。
【０１１３】
ＨＤＭＩの伝送チャネルには、ＨＤＭＩ送信部２０２ａからＨＤＭＩ受信部１０２に対して、画像データ、補助データ、および制御データを、ピクセルクロックに同期して、一方向にシリアル伝送するための３つのＴＭＤＳチャネル＃０，＃１，＃２と、ピクセルクロックを伝送する伝送チャネルとしてのＴＭＤＳクロックチャネルとの他に、ＤＤＣ(Display Data Channel)８３、さらには、ＣＥＣライン８４と呼ばれる伝送チャネルがある。
【０１１４】
ＤＤＣ８３は、ＨＤＭＩケーブル６１０に含まれる図示しない２本のライン（信号線）からなり、ソース機器が、ＨＤＭＩケーブル６１０を介して接続されたシンク機器から、Ｅ−ＥＤＩＤ(Enhanced-Extended Display Identification)を読み出すために使用される。すなわち、シンク機器は、ＥＤＩＤＲＯＭ８５を有している。ソース機器は、ＨＤＭＩケーブル６１０を介して接続されているシンク機器から、ＥＤＩＤＲＯＭ８５が記憶しているＥ−ＥＤＩＤを、ＤＤＣ８３を介して読み出し、当該Ｅ−ＥＤＩＤに基づき、シンク機器の設定、性能を認識する。
【０１１５】
ＣＥＣライン８４は、ＨＤＭＩケーブル６１０に含まれる図示しない１本のラインからなり、ソース機器とシンク機器との間で、制御用のデータの双方向通信を行うために用いられる。
【０１１６】
また、ＨＤＭＩケーブル６１０には、ＨＰＤ(Hot Plug Detect)と呼ばれるピンに接続されるライン８６が含まれている。ソース機器は、当該ライン８６を利用して、シンク機器の接続を検出することができる。また、ＨＤＭＩケーブル６１０には、ソース機器からシンク機器に電源を供給するために用いられるライン８７が含まれている。さらに、ＨＤＭＩケーブル６１０には、リザーブライン８８が含まれている。
【０１１７】
図７は、ＴＭＤＳチャネルにおいて、横×縦が１９２０ピクセル×１０８０ラインの画像データが伝送される場合の、各種の伝送データの区間を示している。ＨＤＭＩの３つのＴＭＤＳチャネルで伝送データが伝送されるビデオフィールド（Video Field）には、伝送データの種類に応じて、ビデオデータ区間２４（Video Data Period）、データアイランド区間２５（Data Island Period）、およびコントロール区間２６（Control Period）の３種類の区間が存在する。
【０１１８】
ここで、ビデオフィールド区間は、ある垂直同期信号の立ち上がりエッジ（Active Edge）から次の垂直同期信号の立ち上がりエッジまでの区間であり、水平帰線期間２２（Horizontal Blanking）、垂直帰線期間２３（Vertical Blanking）、並びに、ビデオフィールド区間から、水平帰線期間および垂直帰線期間を除いた区間である有効画素区間２１（Active Video）に分けられる。
【０１１９】
ビデオデータ区間２４は、有効画素区間２１に割り当てられる。このビデオデータ区間２４では、非圧縮の１画面分の画像データを構成する１９２０ピクセル（画素）×１０８０ライン分の有効画素（Active Pixel）のデータが伝送される。データアイランド区間２５およびコントロール区間２６は、水平帰線期間２２および垂直帰線期間２３に割り当てられる。このデータアイランド区間２５およびコントロール区間２６では、補助データ（Auxiliary Data）が伝送される。
【０１２０】
すなわち、データアイランド区間２５は、水平帰線期間２２と垂直帰線期間２３の一部分に割り当てられている。このデータアイランド区間２５では、補助データのうち、制御に関係しないデータである、例えば、音声データのパケット等が伝送される。コントロール区間２６は、水平帰線期間２２と垂直帰線期間２３の他の部分に割り当てられている。このコントロール区間２６では、補助データのうちの、制御に関係するデータである、例えば、垂直同期信号および水平同期信号、制御パケット等が伝送される。
【０１２１】
図８は、ＨＤＭＩコネクタのピン配列を示している。このピン配列は、タイプＡ（type-A）の例である。ＴＭＤＳチャネル＃ｉの差動信号であるＴＭＤＳ  Ｄａｔａ＃ｉ＋とＴＭＤＳ  Ｄａｔａ＃ｉ−が伝送される差動線である２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【０１２２】
また、制御用のデータであるＣＥＣ信号が伝送されるＣＥＣライン８４は、ピン番号が１３であるピンに接続され、ピン番号が１４のピンは空き（Reserved）ピンとなっている。また、Ｅ−ＥＤＩＤ等のＳＤＡ(Serial Data)信号が伝送されるラインは、ピン番号が１６であるピンに接続され、ＳＤＡ信号の送受信時の同期に用いられるクロック信号であるＳＣＬ(Serial Clock)信号が伝送されるラインは、ピン番号が１５であるピンに接続される。上述のＤＤＣ８３は、ＳＤＡ信号が伝送されるラインおよびＳＣＬ信号が伝送されるラインにより構成される。
【０１２３】
また、上述したようにソース機器がシンク機器の接続を検出するためのＨＰＤライン８６は、ピン番号が１９であるピンに接続される。また、上述したように電源を供給するための電源ライン８７は、ピン番号が１８であるピンに接続される。
【０１２４】
「高速バスインタフェースの構成例」
図９は、図１のＡＶシステム１０におけるテレビ受信機１００の高速バスインタフェース１０３の構成例を示している。イーサネットインタフェース１１５は、ＨＤＭＩケーブル６１０を構成する複数のラインのうち、リザーブラインおよびＨＰＤラインの一対のラインにより構成された伝送路を用いてＬＡＮ(Local Area Network)通信、つまりイーサネット信号の送受信を行う。ＳＰＤＩＦ送信回路１０４は、上述の一対のラインにより構成された伝送路を用いて、ＳＰＤＩＦ信号を送信する。
【０１２５】
テレビ受信機１００は、ＬＡＮ信号送信回路４４１、終端抵抗４４２、ＡＣ結合容量４４３，４４４、ＬＡＮ信号受信回路４４５、減算回路４４６、加算回路４４９，４５０および増幅器４５１を有している。これらは、これらは高速バスインタフェース１０３を構成している。また、テレビ受信機１００は、プラグ接続伝達回路１２８を構成する、チョークコイル４６１、抵抗４６２および抵抗４６３を有している。
【０１２６】
ＨＤＭＩ端子１０１の１４ピン端子５２１と１９ピン端子５２２との間には、ＡＣ結合容量４４３、終端抵抗４４２およびＡＣ結合容量４４４の直列回路が接続される。また、電源線（＋５．０Ｖ）と接地線との間には、抵抗４６２および抵抗４６３の直列回路が接続される。そして、この抵抗４６２と抵抗４６３の互いの接続点は、チョークコイル４６１を介して、１９ピン端子５２２とＡＣ結合容量４４４との接続点Ｑ４に接続される。
【０１２７】
ＡＣ結合容量４４３と終端抵抗４４２の互いの接続点Ｐ３は、加算回路４４９の出力側に接続されると共に、ＬＡＮ信号受信回路４４５の正入力側に接続される。また、ＡＣ結合容量４４４と終端抵抗４４２の互いの接続点Ｐ４は、加算回路４５０の出力側に接続されると共に、ＬＡＮ信号受信回路４４５の負入力側に接続される。
【０１２８】
加算回路４４９の一方の入力側はＬＡＮ信号送信回路４４１の正出力側に接続され、この加算回路４４９の他方の入力側にはＳＰＤＩＦ送信回路１０４から出力されるＳＰＤＩＦ信号が増幅器４５１を介して供給される。また、加算回路４５０の一方の入力側はＬＡＮ信号送信回路４４１の負出力側に接続され、この加算回路４５０の他方の入力側にはＳＰＤＩＦ送信回路１０４から出力されるＳＰＤＩＦ信号が増幅器４５１を介して供給される。
【０１２９】
ＬＡＮ信号送信回路４４１の入力側には、イーサネットインタフェース１１５から送信信号（送信データ）ＳＧ417が供給される。また、減算回路４４６の正側端子には、ＬＡＮ信号受信回路４４５の出力信号ＳＧ418が供給され、この減算回路４４６の負側端子には、送信信号ＳＧ417が供給される。この減算回路４４６では、ＬＡＮ信号受信回路４４５の出力信号ＳＧ418から送信信号ＳＧ417が減算され、受信信号（受信データ）ＳＧ419が得られる。この受信信号ＳＧ419は、リザーブラインおよびＨＰＤラインを介してＬＡＮ信号（イーサネット信号）が差動信号として送信されてくる場合には、当該ＬＡＮ信号となる。この受信信号ＳＧ419は、イーサネットインタフェース１１５に供給される。
【０１３０】
図１０は、図１のＡＶシステム１０におけるオーディオアンプ２００の高速バスインタフェース２０３ａの構成例を示している。イーサネットインタフェース２１０は、ＨＤＭＩケーブル６１０を構成する複数のラインのうち、リザーブラインおよびＨＰＤラインの一対のラインにより構成された伝送路を用いてＬＡＮ(Local Area Network)通信、つまりイーサネット信号の送受信を行う。ＳＰＤＩＦ受信回路２０４は、上述の一対のラインにより構成された伝送路を用いて、ＳＰＤＩＦ信号を受信する。
【０１３１】
オーディオアンプ２００は、ＬＡＮ信号送信回路４１１、終端抵抗４１２、ＡＣ結合容量４１３，４１４、ＬＡＮ信号受信回路４１５、減算回路４１６、加算回路４１９および増幅器４２０を有している。これらは、高速バスインタフェース２０３ａを構成している。また、オーディオアンプ２００は、プラグ接続検出回路２２１を構成する、プルダウン抵抗４３１、抵抗４３２、容量４３３および比較器４３４を有している。ここで、抵抗４３２および容量４３３は、ローパスフィルタを構成している。
【０１３２】
ＨＤＭＩ端子２０１ａの１４ピン端子５１１と１９ピン端子５１２との間には、ＡＣ結合容量４１３、終端抵抗４１２およびＡＣ結合容量４１４の直列回路が接続される。ＡＣ結合容量４１３と終端抵抗４１２の互いの接続点Ｐ１は、ＬＡＮ信号送信回路４１１の正出力側に接続されると共に、ＬＡＮ信号受信回路４１５の正入力側に接続される。
【０１３３】
ＡＣ結合容量４１４と終端抵抗４１２の互いの接続点Ｐ２は、ＬＡＮ信号送信回路４１１の負出力側に接続されると共に、ＬＡＮ信号受信回路４１５の負入力側に接続される。ＬＡＮ信号送信回路４１１の入力側には、イーサネットインタフェース２１０から送信信号（送信データ）ＳＧ411が供給される。
【０１３４】
減算回路４１６の正側端子には、ＬＡＮ信号受信回路４１５の出力信号ＳＧ412が供給され、この減算回路４１６の負側端子には、送信信号（送信データ）ＳＧ411が供給される。この減算回路４１６では、ＬＡＮ信号受信回路４１５の出力信号ＳＧ412から送信信号ＳＧ411が減算され、受信信号ＳＧ413が得られる。この受信信号ＳＧ413は、リザーブラインおよびＨＰＤラインを介して、ＬＡＮ信号（イーサネット信号）が差動信号として送信されてくる場合には、当該ＬＡＮ信号となる。この受信信号ＳＧ413は、イーサネットインタフェース２１０に供給される。
【０１３５】
ＡＣ結合容量４１４と１９ピン端子５１２との接続点Ｑ２は、プルダウン抵抗４３１を介して接地線に接続されると共に、抵抗４３２および容量４３３の直列回路を介して接地線に接続される。そして、抵抗４３２および容量４３３の互いの接続点に得られるローパスフィルタの出力信号は比較器４３４の一方の入力端子に供給される。この比較器４３４では、ローパスフィルタの出力信号が他方の入力端子に供給される基準電圧Ｖref2（＋１．４Ｖ）と比較される。この比較器４３４の出力信号ＳＧ415は、オーディオアンプ２００の図示しない制御部（ＣＰＵ）に供給される。
【０１３６】
また、ＡＣ結合容量４１３と終端抵抗４１２の互いの接続点Ｐ１は、加算回路４１９の一方の入力端子に接続される。また、ＡＣ結合容量４１４と終端抵抗４１２の互いの接続点Ｐ２は、加算回路４１９の他方の入力端子に接続される。この加算回路４１９の出力信号は、増幅器４２０を介してＳＰＤＩＦ受信回路１１５に供給される。この加算回路４１９の出力信号は、リザーブラインおよびＨＰＤラインを介して、ＳＰＤＩＦ信号が同相信号として送信されてくる場合には、当該ＳＰＤＩＦ信号となる。
【０１３７】
なお、詳細説明は省略するが、オーディオアンプ２００の高速バスインタフェース２０３ｂは、図９に示した高速バスインタフェース１０３からＳＰＤＩＦ信号に係る部分が除かれた構成と同様となる。また、詳細説明は省略するが、ＢＤプレーヤ３００の高速バスインタフェース３０３は、図１０に示した高速バスインタフェース２０３ａからＳＰＤＩＦ信号に係る部分が除かれた構成と同様となる。
【０１３８】
「ＳＰＤＩＦ信号の詳細」
最初に、ＩＥＣ ６０９５８規格の概要について説明する。図１１は、ＩＥＣ ６０９５８規格におけるフレーム構成を示している。各フレームは２つのサブフレームから構成される。２チャネルステレオ音声の場合、１つ目のサブフレームに左チャネル信号が含まれ、２つ目のサブフレームに右チャネル信号が含まれる。
【０１３９】
サブフレームの先頭には後述するようにプリアンブルが設けられ、左チャネル信号にはプリアンブルとして「Ｍ」が、右チャネル信号にはプリアンブルとして「Ｗ」が付与される。ただし、１９２フレーム毎に先頭のプリアンブルにはブロックの開始を表す「Ｂ」が付与される。すなわち、１ブロックは１９２フレームにより構成される。ブロックは、後述するチャネルステータスを構成する単位である。
【０１４０】
図１２は、ＩＥＣ ６０９５８規格におけるサブフレーム構成を示している。サブフレームは、第０乃至第３１の計３２のタイムスロットから構成される。第０乃至第３タイムスロットは、プリアンブル（Sync preamble）を示す。このプリアンブルは、上述のように左右チャネルの区別やブロックの開始位置を表すために、「Ｍ」、「Ｗ」または「Ｂ」の何れかを示す。
【０１４１】
第４乃至第２７タイムスロットはメインデータフィールドであり、２４ビットコードレンジが採用される場合には全体がオーディオデータを表す。また、２０ビットコードレンジが採用される場合には第８乃至第２７タイムスロットがオーディオデータ（Audio sample word）を表す。後者の場合、第４乃至第７タイムスロットは追加情報（Auxiliary sample bits）として利用することができる。図示の例は、後者の場合を示している。
【０１４２】
第２８タイムスロットは、メインデータフィールドの有効フラグ（Validity flag）である。第２９タイムスロットは、ユーザデータ（User data）の１ビット分を表す。各フレームにまたがってこの第２９タイムスロットを累積することによって一連のユーザデータを構成することができる。このユーザデータのメッセージは８ビットの情報ユニット（ＩＵ：Information Unit）を単位として構成され、１つのメッセージには３乃至１２９個の情報ユニットが含まれる。
【０１４３】
情報ユニット間には０乃至８ビットの「０」が存在し得る。情報ユニットの先頭は開始ビット「１」により識別される。メッセージ内の最初の７個の情報ユニットは予約されており、８個目以降の情報ユニットにユーザは任意の情報を設定することができる。メッセージ間は８ビット以上の「０」により分割される。
【０１４４】
第３０タイムスロットは、チャネルステータス（Channel status）の１ビット分を表す。各フレームにまたがってブロック毎に第３０タイムスロットを累積することによって一連のチャネルステータスを構成することができる。なお、ブロックの先頭位置は、上述のように、「Ｂ」のプリアンブル（第０乃至第３タイムスロット）により示される。
【０１４５】
第３１タイムスロットは、パリティビット（Parity bit）である。第４乃至第３１タイムスロットに含まれる「０」および「１」の数が偶数になるように、このパリティビットが付与される。
【０１４６】
図１３は、ＩＥＣ ６０９５８規格における信号変調方式を示している。サブフレームのうちプリアンブルを除く第４乃至第３１タイムスロットがバイフェーズマーク変調される。このバイフェーズマーク変調の際には、元の信号（ソースコーディング）の２倍速のクロックが用いられる。元の信号のクロックサイクルを前半と後半に分けると、前半のクロックサイクルのエッジで、バイフェーズマーク変調の出力は必ず反転する。また、後半クロックサイクルのエッジにおいて、元の信号が「１」を示しているときには反転し、元の信号が「０」を示しているときには反転しない。これにより、バイフェーズマーク変調された信号から元の信号におけるクロック成分を抽出できることになる。
【０１４７】
図１４は、ＩＥＣ ６０９５８規格におけるプリアンブルのチャネルコーディングを示している。上述のように、サブフレームのうち第４乃至第３１タイムスロットはバイフェーズマーク変調される。一方、第０乃至第３タイムスロットのプリアンブルは通常のバイフェーズマーク変調ではなく、２倍速のクロックに同期したビットパターンとして扱われる。すなわち、第０乃至第３タイムスロットの各タイムスロットに２ビットずつ割り当てることにより、同図のような８ビットパターンを得る。
【０１４８】
直前の状態が「０」であれば、プリアンブル「Ｂ」には「１１１０１０００」が、「Ｍ」には「１１１０００１０」が、「Ｗ」には「１１００１００」がそれぞれ割り当てられる。一方、直前の状態が「１」であれば、プリアンブル「Ｂ」には「０００１０１１１」が、「Ｍ」には「０００１１１０１」が、「Ｗ」には「０００１１０１１」がそれぞれ割り当てられる。
【０１４９】
図１５は、ＩＥＣ ６０９５８・インタフェース・フォーマット（IEC 60958 interface format）を示している。図１５（ａ）は、フレーム構成を示している。１９２フレームにより１ブロックが構成され、そのブロックが連続した構成となっている。図１５（ｂ）は、各フレームが２つのサブフレームからなっていることを示している。
【０１５０】
サブフレームの先頭にはプリアンブルが設けられ、ブロックの先頭のサブフレームのプリアンブルには、ブロックの開始を表す「Ｂ」が付与される。そして、それに続く各サブフレームの先頭のプリアンブルには、「Ｗ」と「Ｍ」が交互に付与される。
【０１５１】
図１５（ｃ）は、サブフレーム構成を示している。所定チャネル数の圧縮デジタルオーディオ信号ＳＡを含むＳＰＤＩＦ信号の場合、各サブフレームの第１２乃至第２７タイムスロットに、圧縮デジタルオーディオ信号ＳＡのビットストリームが分割されて順次挿入される。
【０１５２】
図１６は、所定チャネル数の圧縮デジタルオーディオ信号ＳＡを含むＳＰＤＩＦ信号の場合におけるチャネルステータスのフォーマットを概略的に示している。チャネルステータスの全体は第０乃至第２３バイトからなるが、図示の例ではそのうちの第０乃至第５バイトの部分のみを示している。
【０１５３】
第０ビット（bit 0）のａ＝“０”は、このチャネルステータスが民生用であることを示している。また、第１ビット（bit 1）のｂ＝“１”は、ＩＥＣ ６１９３７フォーマット、つまり圧縮デジタルオーディオ信号の伝送における使用であることを示している。なお、第０ビット（bit 0）、第１ビット（bit 1）をどのように使用するかについては、図１７に示すように、ＩＥＣ６０９５８−１に規定されている。
【０１５４】
第２４乃至第２７ビットおよび第３０乃至第３１ビットに、第１のメタデータ、つまり圧縮デジタルオーディオ信号の伝送周波数を示すメタデータ「ＩＥＣ ６０９５８ Ｆｒａｍｅ Ｒａｔｅ」が挿入される。図１８は、第２４乃至第２７ビットのビット値および第３０乃至第３１ビットのビット値と、それで示される伝送周波数との対応関係を示している。例えば、第２４乃至第２７ビットのビット値が“０１００ｂ”にアサインされるとき、伝送周波数が４８ｋＨｚであることが示される。また、例えば、第２４乃至第２７ビットのビット値が“０１０１ｂ”にアサインされるとき、伝送周波数が９６ｋＨｚであることが示される。
【０１５５】
「ＩＥＣ ６０９５８ Ｆｒａｍｅ Ｒａｔｅ」はＩＥＣ ６０９５８−３デジタルオーディオ信号（ＳＰＤＦ信号）を受信した際に、ＰＬＬがロックする基本周波数で、実際はメタデータを付加し変調を施すのでその１２８倍である。つまり、「ＩＥＣ ６０９５８ Ｆｒａｍｅ Ｒａｔｅ」で示される伝送周波数が４８ｋＨｚの場合は、６．１４４ＭＨｚでＰＬＬが実際にロックする。これは、ＩＥＣ６０９５８−１にて規定されている。
【０１５６】
ＩＥＣ ６１９３７において規定される圧縮デジタルオーディオ信号は、この「ＩＥＣ ６０９５８ Ｆｒａｍｅ Ｒａｔｅ」に対して最大３２ｂｉｔのペイロードが割り当てられるので、「ＩＥＣ ６０９５８ Ｆｒａｍｅ Ｒａｔｅ」が４８ｋＨｚの場合は、最大約１．５Ｍｂｐｓの圧縮デジタルオーディオ信号が伝送可能である。実際には、パケットヘッダ等のオーバーヘッドが必要でＩＥＣ ６１９３７−１にて規定されている。
【０１５７】
図１６に戻って、第３６乃至第３９ビットに、第２のメタデータ、つまり各チャネルの非圧縮デジタルオーディオ信号をアナログ信号に変換する際に使用されるサンプリング周波数を示すメタデータ「Ｏｒｉｇｉｎａｌ ｓａｍｐｌｉｎｇ ｆｒｅｑｕｅｎｃｙ」が挿入される。図１９は、第３６乃至第３９ビットのビット値と、それで示されるサンプリング周波数との対応関係を示している。例えば、第３６乃至第３９ビットのビット値が“１０１１ｂ”とアサインされるとき、サンプリング周波数が４８ｋＨｚであることが示される。
【０１５８】
図１６に戻って、第４４乃至４７ビットに、第３のメタデータ、つまり伝送周波数のサンプリング周波数に対する比率を示すメタデータ「Ａｕｄｉｏ ｓａｍｐｌｉｎｇ ｆｒｅｑｕｅｎｃｙ ｃｏｅｆｆｉｃｉｅｎｔ」が挿入される。図２０は、第４４乃至第４７ビットのビット値と、それで示される比率との対応関係を示している。例えば、第４４乃至第４７ビットのビット値が“１１１１ｂ”とアサインされるとき、比率が２であることが示される。
【０１５９】
次世代のテレビ放送においては、４８ｋＨｚサンプリングで２２．２チャネルのＭＰＥＧ−４ ＡＡＣの圧縮デジタルオーディオ信号を最大１．９Ｍｂｐｓで放送することが計画されている。しかし、これは、「ＩＥＣ ６０９５８ Ｆｒａｍｅ Ｒａｔｅ」＝４８ｋＨｚでは出力できない。そこで、「ＩＥＣ ６０９５８ Ｆｒａｍｅ Ｒａｔｅ」＝９６ｋＨｚで出力することが考えられる。
【０１６０】
この場合、上述の第１、第２、第３のメタデータを使用し、
「IEC 60958 Frame Rate」＝９６ｋＨｚ
「Original sampling frequency」＝４８ｋＨｚ
「Audio sampling frequency coefficient」＝ｘ２
という情報を、ＭＰＥＧ−４ ＡＡＣの圧縮デジタルオーディオ信号に付加することで、この圧縮デジタルオーディオ信号の良好な伝送が可能となる。
【０１６１】
すなわち、受信側では、「IEC 60958 Frame Rate 」＝９６ｋＨｚの情報から、圧縮デジタルオーディオ信号の伝送周波数を正しく認識して、ＰＬＬを９６ｋＨｚ (ｘ１２８)にロックさせ、復号化処理を正しく行うことが可能となる。また、受信側では、復号化処理で得られた各チャネルの非圧縮デジタルオーディオ信号を、「Original sampling frequency」＝４８ｋＨｚの情報から、４８ｋＨｚのサンプリング周波数で正しくアナログ信号に変換することが可能で、さらに、４８ｋＨｚ再生であることをユーザに正しく提示できる。
【０１６２】
また、受信側では、「Audio sampling frequency coefficient」＝ｘ２の情報から、伝送周波数のサンプリング周波数に対する比率を正しく認識し、「IEC 60958 Frame Rate」および「Original sampling frequency」の関係がその比率に合致するか否かを判断して、これら「IEC 60958 Frame Rate」および「Original sampling frequency」の情報が正しい状態にあるかを知ることが可能となる。
【０１６３】
上述したように、図１に示すＡＶシステム１０において、テレビ受信機１００は、オーディオアンプ２００に送信するＳＰＤＩＦ信号に含まれる所定チャネル数の圧縮デジタルオーディオ信号に、圧縮デジタルオーディオ信号の伝送周波数を示す第１のメタデータ、各チャネルの非圧縮デジタルオーディオ信号をアナログ信号に変換する際に使用されるサンプリング周波数を示す第２のメタデータおよび伝送周波数のサンプリング周波数に対する比率を示す第３のメタデータを付加する。
【０１６４】
そのため、データレートの高い圧縮デジタルオーディオ信号の伝送を良好に行い得る。すなわち、サンプリング周波数とは異なる伝送レートでの伝送が可能となり、受信側では、伝送レートとは異なるオリジナルのサンプリング周波数で正しいオーディオ再生が可能となり、さらにユーザに対して実際に再生されるオーディオ周波数帯域を明示することが可能となる。
【０１６５】
また、図１に示すＡＶシステム１０において、オーディオアンプ２００は、ＳＰＤＩＦ信号に含まれる圧縮デジタルオーディオ信号に関係する処理を、この圧縮デジタルオーディオ信号に付加されている、圧縮デジタルオーディオ信号の伝送周波数を示す第１のメタデータ、各チャネルの非圧縮デジタルオーディオ信号をアナログ信号に変換する際に使用されるサンプリング周波数を示す第２のメタデータおよび伝送周波数のサンプリング周波数に対する比率を示す第３のメタデータに基づいて行う。そのため、圧縮デジタルオーディオ信号に関係する処理、例えば、復号化処理、アナログ信号に変換する処理、ユーザに再生オーディオ周波数帯域を明示する処理などを適切に行うことができる。
【０１６６】
＜２．変形例＞
なお、上述実施の形態においては、テレビ受信機１００からオーディオアンプ２００にＳＰＤＩＦ信号を伝送するためにＨＤＭＩ ＡＲＣを利用する例を示した。つまり、ＩＥＣ ６０９５８伝送路としてＨＤＭＩ ＡＲＣを利用する例であった。本技術は、ＩＥＣ ６０９５８伝送路として同軸ケーブルや光ケーブルを利用する例にも同様に適用できる。
【０１６７】
図２１は、ＩＥＣ ６０９５８伝送路として光ケーブルを利用した場合におけるＡＶシステム１０Ａの構成例を示している。この図２１において、図１と対応する部分には同一符号を付し、その詳細説明は省略する。このＡＶシステム１０Ａにおいて、テレビ受信機１００は光インタフェース１２９を備えており、オーディオアンプ２００は光インタフェース２２２を備えている。そして、テレビ受信機１００のＳＰＤＩＦ送信回路１０４から出力されるＳＰＤＩＦ信号は、光インタフェース１２９、光ケーブル６３０および光インタフェース２２２を介してオーディオアンプ２００のＳＰＤＩＦ受信回路２０４に伝送される。
【０１６８】
なお、上述実施の形態では、ＩＥＣ ６０９５８伝送路としてＨＤＭＩ ＡＲＣを利用する例（図１参照）と、ＩＥＣ ６０９５８伝送路として同軸ケーブルや光ケーブルを利用する例（図２１参照）に言及した。
【０１６９】
その他に、ＩＥＣ ６０９５８伝送路として、ＨＤＭＩ伝送路を利用する例も考えられる。この場合、ＳＰＤＩＦ信号（IEC 60958信号）はオーディオサンプルパケット（audio sample packet）にマッピングされ、ビデオ伝送と同じ順方向に伝送される。同様に、ＩＥＣ ６０９５８伝送路として、ＩＥＣ ６１８８３−６伝送路、ＭＨＬ伝送路、ディスプレイポート伝送路（ＤＰ伝送路）などを利用する例も考えられる。これらの場合も、ＳＰＤＩＦ信号（IEC 60958信号）はオーディオサンプルパケット（audio sample packet）にマッピングされ、ビデオ伝送と同じ順方向に伝送される。
【０１７０】
また、上述実施の形態では、ＳＰＤＩＦ信号に含まれる圧縮デジタルオーディオ信号ＳＡが放送信号から取得される例を示した。しかし、この圧縮デジタルオーディオ信号ＳＡが、記録メディアから再生して取得されることも考えられる。
【０１７１】
また、技術は、以下のような構成もとることができる。
（１）所定チャネル数の圧縮デジタルオーディオ信号に、該圧縮デジタルオーディオ信号の伝送周波数を示す第１のメタデータ、各チャネルの非圧縮デジタルオーディオ信号をアナログ信号に変換する際に使用されるサンプリング周波数を示す第２のメタデータおよび上記伝送周波数の上記サンプリング周波数に対する比率を示す第３のメタデータを付加するメタデータ付加部と、
上記各メタデータが付加された圧縮デジタルオーディオ信号を所定の伝送路を介して外部機器に送信する送信部を備える
送信装置。
（２）上記送信部は、上記圧縮デジタルオーディオ信号を単位データ毎に順次送信し、
上記メタデータ付加部は、
連続する所定数の上記単位データで構成される各ブロックのチャネルステータスの所定ビット領域を用いて上記各メタデータを付加する
前記（１）に記載の送信装置。
（３）上記圧縮デジタルオーディオ信号の符号化方式はＭＰＥＧ−４  ＡＡＣである
前記（１）または（２）に記載の送信装置。
（４）上記所定チャネル数は２２．２チャネルである
前記（３）に記載の送信装置。
（５）上記所定伝送路は、同軸ケーブル、光ケーブル、イーサネット（ＩＥＣ ６１８８３−６）ケーブル、ＨＤＭＩケーブル、ＭＨＬケーブルまたはディスプレイポートケーブルである
前記（１）から（４）のいずれかに記載の送信装置。
（６）上記圧縮デジタルオーディオ信号を放送信号から取得するか、あるいは上記圧縮デジタルオーディオ信号を記録メディアから再生して取得する取得部をさらに備える
前記（１）から（５）のいずれかに記載の送信装置。
（７）所定チャネル数の圧縮デジタルオーディオ信号に、該圧縮デジタルオーディオ信号の伝送周波数を示す第１のメタデータ、各チャネルの非圧縮デジタルオーディオ信号をアナログ信号に変換する際に使用されるサンプリング周波数を示す第２のメタデータおよび上記伝送周波数の上記サンプリング周波数に対する比率を示す第３のメタデータを付加するメタデータ付加ステップと、
送信部により、上記各メタデータが付加された圧縮デジタルオーディオ信号を所定の伝送路を介して外部機器に送信する送信ステップを有する
送信方法。
（８）所定チャネル数の圧縮デジタルオーディオ信号を外部機器から所定伝送路を介して受信する受信部を備え、
上記圧縮デジタルオーディオ信号には、該圧縮デジタルオーディオ信号の伝送周波数を示す第１のメタデータ、各チャネルの非圧縮デジタルオーディオ信号をアナログ信号に変換する際に使用されるサンプリング周波数を示す第２のメタデータおよび上記伝送周波数の上記サンプリング周波数に対する比率を示す第３のメタデータが付加されており、
上記各メタ―データのうち少なくとも１つに基づいて上記圧縮デジタルオーディオ信号に関係する処理を行う処理部を備える
受信装置。
（９）上記処理部は、
上記第１のメタデータで示される伝送周波数に応じた周波数にＰＬＬをロックし、該ＰＬＬでロックされた周波数のクロック信号を用いて上記圧縮デジタルオーディオ信号に復号化処理を施し、上記所定チャネル数の各チャネルの非圧縮デジタルオーディオ信号を得る
前記（８）に記載の受信装置。
（１０）上記処理部は、
上記圧縮デジタルオーディオ信号に復号化処理を施して得られた各チャネルの非圧縮デジタルオーディオ信号を、上記第２のメタデータで示されるサンプリング周波数でアナログ信号に変換して出力する
前記（８）または（９）に記載の受信装置。
（１１）上記処理部は、
上記第２のメタデータで示されるサンプリング周波数を、表示部に、各チャネルの出力アナログオーディオ信号のサンプリング周波数として表示する
前記（８）から（１０）のいずれかに記載の受信装置。
（１２）上記処理部は、
上記第１のメタデータで示される伝送周波数または上記第３のメタデータで示される比率を用いて、表示部に、上記圧縮デジタルオーディオ信号の伝送周波数を示す表示をする
前記（８）から（１１）のいずれかに記載の受信装置。
（１３）上記処理部は、
上記第１のメタデータで示される伝送周波数の上記第２のメタデータで示されるサンプリング周波数に対する比率を上記第３のメタデータで示される比率と比較して、上記第１のメタデータあるいは上記第２のメタデータの誤りを検出する
前記（８）から（１３）のいずれかに記載の受信装置。
（１４）上記受信部は、上記圧縮デジタルオーディオ信号を単位データ毎に順次受信し、
上記圧縮デジタルオーディオ信号には、連続する所定数の上記単位データで構成される各ブロックのチャネルステータスの所定ビット領域を用いて上記各メタデータが付加されている
前記（８）から（１３）のいずれかに記載の受信装置。
（１５）上記所定伝送路は、同軸ケーブル、光ケーブル、イーサネット（ＩＥＣ ６１８８３−６）ケーブル、ＨＤＭＩケーブル、ＭＨＬケーブルまたはディスプレイポートケーブルである
前記（８）から（１４）のいずれかに記載の受信装置。
（１６）受信部により、所定チャネル数の圧縮デジタルオーディオ信号を外部機器から所定伝送路を介して受信する受信ステップを有し、
上記圧縮デジタルオーディオ信号には、該圧縮デジタルオーディオ信号の伝送周波数を示す第１のメタデータ、各チャネルの非圧縮デジタルオーディオ信号をアナログ信号に変換する際に使用されるサンプリング周波数を示す第２のメタデータおよび上記伝送周波数の上記サンプリング周波数に対する比率を示す第３のメタデータが付加されており、
上記各メタ―データのうち少なくとも１つに基づいて上記圧縮デジタルオーディオ信号に関係する処理を行う処理ステップを備える
受信方法。
【符号の説明】
【０１７２】
１０・・・・ＡＶシステム
１００・・・テレビ受信機
１０１・・・ＨＤＭＩ端子
１０２・・・ＨＤＭＩ受信部
１０３・・・高速バスインタフェース
１０４・・・ＳＰＤＩＦ送信回路
１０５・・・アンテナ端子
１０６・・・デジタル放送チューナ
１０７・・・ＭＰＥＧデコーダ
１０８・・・映像信号処理回路
１０９・・・グラフィック生成回路
１１０・・・パネル駆動回路
１１１・・・表示パネル
１１２・・・音声信号処理回路
１１３・・・音声増幅回路
１１４・・・スピーカ
１１５・・・イーサネットインタフェース
１１６・・・ネットワーク端子
１２０・・・内部バス
１２１・・・ＣＰＵ
１２２・・・フラッシュＲＯＭ
１２３・・・ＤＲＡＭ
１２４・・・表示制御部
１２５・・・リモコン受信部
１２６・・・リモコン送信機
１２７・・・電源部
１２８・・・プラグ接続伝達回路
２００・・・オーディオアンプ
２０１ａ，２０１ｂ・・・ＨＤＭＩ端子
２０２ａ・・・ＨＤＭＩ送信部
２０２ｂ・・・ＨＤＭＩ受信部
２０３ａ．２０３ｂ・・・高速バスインタフェース
２０４・・・ＳＰＤＩＦ受信回路
２０５・・・ＭＰＥＧデコーダ
２０６・・・映像・グラフィック処理回路
２０７・・・音声処理回路
２０８・・・音声増幅回路
２０９・・・音声出力端子
２１０・・・イーサネットインタフェース
２１１・・・内部バス
２１２・・・ＣＰＵ
２１３・・・フラッシュＲＯＭ
２１４・・・ＤＲＡＭ
２１５・・・表示制御部
２１６・・・パネル駆動回路
２１７・・・表示パネル
２１８・・・電源部
２１９・・・リモコン受信部
２２０・・・リモコン送信機
２２１・・・プラグ接続検出回路
３００・・・ＢＤプレーヤ
３０１・・・ＨＤＭＩ端子
３０２・・・ＨＤＭＩ送信部
３０３・・・高速バスインタフェース
３０４・・・内部バス
３０５・・・ＣＰＵ
３０６・・・フラッシュＲＯＭ
３０７・・・ＳＤＲＡＭ
３０８・・・表示制御部
３０９・・・リモコン受信部
３１０・・・リモコン送信機
３１１・・・記憶媒体制御インタフェース
３１２ａ・・・ＢＤドライブ
３１２ｂ・・・ＨＤＤ
３１２ｃ・・・ＳＳＤ
３１３・・イーサネットインタフェース
３１４・・・ネットワーク端子
３１５・・・ＭＰＥＧデコーダ
３１６・・・グラフィック生成回路
３１７・・・映像出力端子
３１８・・音声出力端子
３１９・・・パネル駆動回路
３２０・・・表示パネル
３２１・・・電源部
４００・・・受信アンテナ
５００・・・スピーカシステム
６１０，６２０・・・ＨＤＭＩケーブル
６３０・・・光ケーブル
【図１】
2017010358.tif 000003
【図２】
2017010358.tif 000004
【図３】
2017010358.tif 000005
【図４】
2017010358.tif 000006
【図５】
2017010358.tif 000007
【図６】
2017010358.tif 000008
【図７】
2017010358.tif 000009
【図８】
2017010358.tif 000010
【図９】
2017010358.tif 000011
【図１０】
2017010358.tif 000012
【図１１】
2017010358.tif 000013
【図１２】
2017010358.tif 000014
【図１３】
2017010358.tif 000015
【図１４】
2017010358.tif 000016
【図１５】
2017010358.tif 000017
【図１６】
2017010358.tif 000018
【図１７】
2017010358.tif 000019
【図１８】
2017010358.tif 000020
【図１９】
2017010358.tif 000021
【図２０】
2017010358.tif 000022
【図２１】
2017010358.tif 000023
【国際調査報告】
2017010358.tif 000024
2017010358.tif 000025